(57)【要約】      （修正有）【課題】充電中の充電池の異常な発熱を検出する空調機用無線リモコンを提供する。【解決手段】空調機用無線リモコンは、室内の温度を計測する第１温度センサと、第１温度センサによって計測された温度に基づいて、充電中の充電池の発熱の程度を評価する制御部と、を備える。第１温度センサが計測する温度の変化量が所定の第２閾値以上の場合、充電池の発熱が異常であると評価する。第１温度センサが計測する温度が所定の第３閾値以上の場合、充電池の発熱が異常であると評価する。【選択図】図３
2020202529.tif 000002
【特許請求の範囲】
【請求項１】
室内の温度を計測する第１温度センサと、
前記第１温度センサによって計測された第１温度に基づいて、充電中の充電池の発熱の程度を評価する制御部と、
を備える空調機用無線リモコン。
【請求項２】
前記制御部は、前記第１温度の変化量が所定の第２閾値以上の場合、前記充電池の発熱が異常であると評価する、
請求項１に記載の空調機用無線リモコン。
【請求項３】
前記制御部は、前記第１温度が所定の第３閾値以上の場合、前記充電池の発熱が異常であると評価する、
請求項１または請求項２に記載の空調機用無線リモコン。
【請求項４】
前記充電池の温度を計測する第２温度センサと、
前記充電池の充電の制御を行う充電制御部と、
をさらに備え、
前記充電制御部は、前記第２温度センサによって計測された第２温度が所定の第１閾値以上となると、前記充電池の充電を停止する、
請求項１から請求項３の何れか１項に記載の空調機用無線リモコン。
【請求項５】
前記制御部は、前記充電池の発熱が異常であると評価すると、前記充電制御部へ充電の停止を指示する、
請求項４に記載の空調機用無線リモコン。
【請求項６】
室内の温度を計測する第１温度センサによって計測された第１温度に基づいて、充電中の充電池の発熱の程度を評価する、
空調機用無線リモコンの制御方法。
【請求項７】
室内の温度を計測する第１温度センサによって計測された第１温度に基づいて、充電中の充電池の発熱の程度を評価し、
前記充電池の温度を計測する第２温度センサによって計測された第２温度が所定の第１閾値以上かどうかを判定し、
前記評価で前記充電池の発熱が異常であると評価されるか、又は、前記判定で前記第２温度が前記第１閾値以上と判定された場合、前記充電池の充電を停止する、
空調機用無線リモコンの制御方法。
【請求項８】
コンピュータを、
空調機用無線リモコンが備える室内の温度を計測する第１温度センサによって計測された第１温度に基づいて、充電中の充電池の発熱の程度を評価する手段、
として機能させるプログラム。
【発明の詳細な説明】
【技術分野】
【０００１】
本発明は、空調機用無線リモコン、空調機用無線リモコンの制御方法及びプログラムに関する。
【背景技術】
【０００２】
無線式のリモコンで室内機の制御を行う空調システムにおいて、ユーザの操作性、携帯性を考慮し、充電池をリモコンの電源とするものが多い。例えば、特許文献１には、太陽電池による発電電力を充電池に充電する空調機用のリモコンが開示されている。
【先行技術文献】
【特許文献】
【０００３】
【特許文献１】特開２０１２−０３９１９９号
【発明の概要】
【発明が解決しようとする課題】
【０００４】
特許文献１に記載されたリモコンの充電回路では、充電池と並べて温度ヒューズを挿入し、充電中の充電池に異常な発熱が発生すると、温度ヒューズが動作して充電池の充電を停止する構成が採用されている。このような構成の場合、温度ヒューズの故障などにより、充電池の異常発熱を検出できない可能性がある。
【０００５】
そこでこの発明は、上述の課題を解決することのできる空調機用無線リモコン、空調機用無線リモコンの制御方法及びプログラムを提供することを目的としている。
【課題を解決するための手段】
【０００６】
本発明の一態様によれば、空調機用無線リモコンは、室内の温度を計測する第１温度センサと、前記第１温度センサによって計測された第１温度に基づいて、充電中の充電池の発熱の程度を評価する制御部と、を備える。
【０００７】
本発明の一態様によれば、前記制御部は、前記第１温度の変化量が所定の第２閾値以上の場合、前記充電池の発熱が異常であると評価する。
【０００８】
本発明の一態様によれば、前記制御部は、前記第１温度が所定の第３閾値以上の場合、前記充電池の発熱が異常であると評価する。
【０００９】
本発明の一態様によれば、前記空調機用無線リモコンは、前記充電池の温度を計測する第２温度センサと、前記充電池の充電の制御を行う充電制御部と、をさらに備え、前記充電制御部は、前記第２温度センサによって計測された第２温度が所定の第１閾値以上となると、前記充電池の充電を停止する。
【００１０】
本発明の一態様によれば、前記制御部は、前記充電池の発熱が異常であると評価すると、前記充電制御部へ充電の停止を指示する。
【００１１】
本発明の一態様によれば、空調機用無線リモコンの制御方法は、室内の温度を計測する第１温度センサによって計測された第１温度に基づいて、充電中の充電池の発熱の程度を評価する。
【００１２】
本発明の一態様によれば、空調機用無線リモコンの制御方法は、室内の温度を計測する第１温度センサによって計測された第１温度に基づいて、充電中の充電池の発熱の程度を評価し、前記充電池の温度を計測する第２温度センサによって計測された第２温度が所定の第１閾値以上かどうかを判定し、前記評価で前記充電池の発熱が異常であると評価されるか、又は、前記判定で前記第２温度が前記第１閾値以上と判定された場合、前記充電池の充電を停止する。
【００１３】
本発明の一態様によれば、プログラムは、コンピュータを、空調機用無線リモコンが備える室内の温度を計測する第１温度センサによって計測された第１温度に基づいて、充電中の充電池の発熱の程度を評価する手段、として機能させる。
【発明の効果】
【００１４】
本発明によれば、充電中の充電池の異常な発熱を検出することができる。
【図面の簡単な説明】
【００１５】
【図１】本発明の第一実施形態における空調機用無線リモコンの一例を示すブロック図である。
【図２】本発明の第一実施形態における異常発熱の検出処理の第１のフローチャートである。
【図３】本発明の第一実施形態における異常発熱の検出処理の第２のフローチャートである。
【図４】本発明の第二実施形態における空調機用無線リモコンの一例を示すブロック図である。
【図５】本発明の各実施形態における無線リモコンのハードウェア構成の一例を示す図である。
【発明を実施するための形態】
【００１６】
＜第一実施形態＞
（リモコンの機能）
以下、本発明の各実施形態による無線リモコンについて図面を参照して説明する。
図１は、本発明の第一実施形態における空調機用無線リモコンの一例を示すブロック図である。
図示するように無線リモコン１０は、電源回路１１と、充電池１２と、充電池１２の温度を計測するサーミスタ２１と、充電制御回路１３と、室温センサ２２と、室温モニタ回路１４と、制御マイコン１５と、ＬＣＤ表示制御回路１６と、無線通信回路１７と、計時回路１８と、不揮発性メモリ１９と、操作入力回路２０とを有している。
【００１７】
電源回路１１は、外部電源または充電池１２から供給される電力を所定の電圧に変換して、制御マイコン１５等へ供給する。また、電源回路１１は、充電池１２の充電中には、外部電源から供給される電力を所定の電圧に変換して充電制御回路１３へ供給する。充電制御回路１３は、供給された電力を充電池１２へ供給し、充電池１２を充電する。充電制御回路１３は、充電池１２が満充電となると、充電池１２の充電を停止する。充電池１２の表面付近には、充電池１２の温度を計測するサーミスタ２１が設けられる。サーミスタ２１は、充電制御回路１３と接続されていて、計測値を充電制御回路１３へ出力する。充電制御回路１３は、サーミスタ２１から取得した計測値を温度に変換して充電中の充電池１２の温度を監視する。充電制御回路１３は、充電中の充電池１２の異常な発熱を検出すると、充電池１２の充電を停止する保護制御を実行する。
【００１８】
室温センサ２２は、無線リモコン１０の周囲の室温を計測するために設けられている。室温センサ２２は、例えば、サーミスタである。室温センサ２２は、室温モニタ回路１４と接続されている。室温モニタ回路１４は、室温センサ２２が計測した計測値を温度に変換して制御マイコン１５へ出力する。
【００１９】
制御マイコン１５は、ＣＰＵなどを備えたコンピュータである。制御マイコン１５は、無線リモコン１０の動作を制御する。また、制御マイコン１５は、室温モニタ回路１４から取得した温度を監視する。例えば、充電池１２の充電中に室温モニタ回路１４から取得した温度に急激な上昇がみられる場合には、制御マイコン１５は、充電池１２に異常な発熱が生じていると判定して、充電制御回路１３に異常な発熱の発生を通知する。
【００２０】
ＬＣＤ表示制御回路１６は、無線リモコン１０が備える不図示の表示部の表示制御を行う。無線通信回路１７は、不図示の室内機と無線通信を行う。計時回路１８は、時間を計測する。不揮発性メモリ１９は、充電池１２の発熱を評価するための閾値など種々の情報を記憶する。操作入力回路２０は、無線リモコン１０が備える不図示の操作ボタンへのユーザの操作を検出する。
【００２１】
（充電池用の温度センサを用いた異常な発熱の検出）
次に充電池１２の充電中における異常な発熱の検出処理について説明する。まず、サーミスタ２１と充電制御回路１３による異常な発熱の検出処理を説明する。
図２は、本発明の第一実施形態における異常発熱の検出処理の第１のフローチャートである。
充電制御回路１３は、所定の制御周期で以下の処理を繰り返し行う。
まず、充電制御回路１３は、充電池１２が充電中かどうかを判定する（ステップＳ１１）。充電中でない場合（ステップＳ１１；Ｎｏ）、本処理を中止する。充電中の場合（ステップＳ１１；Ｙｅｓ）、充電制御回路１３は、サーミスタ２１が計測する温度を監視する（ステップＳ１２）。具体的には、充電制御回路１３は、サーミスタ２１による計測値を温度に換算し、所定の第１閾値と比較する。この第１閾値には、充電池１２が異常発熱しているかどうかを判定するための温度が設定されている。サーミスタ２１が計測した温度が第１閾値以下の場合（ステップＳ１３；Ｎｏ）、本処理を中止する。サーミスタ２１が計測した温度が第１閾値を上回る場合（ステップＳ１３；Ｙｅｓ）、充電制御回路１３は、充電池１２の充電を停止する（ステップＳ１４）。
【００２２】
このように充電中は、充電制御回路１３により、常に充電池１２周辺の温度が監視されている為、過電流などによる異常な発熱が発生すると直ちに充電が停止され、発火などを未然に防ぐことができる。しかし、サーミスタ２１の故障などにより、図２で説明した保護制御が正常に動作しない可能性がある。これに対し、本実施形態では、室温センサ２２が計測した温度に基づく充電池１２の温度の評価を並行して行う。次に充電池１２の充電中における室温センサ２２と制御マイコン１５による異常な発熱の検出処理について説明する。
【００２３】
（室温センサを用いた異常な発熱の検出）
図３は、本発明の第一実施形態における異常発熱の検出処理の第２のフローチャートである。
制御マイコン１５は、所定の制御周期で以下の処理を繰り返し行う。
まず、制御マイコン１５は、充電池１２が充電中かどうかを判定する（ステップＳ２１）。例えば、制御マイコン１５は、充電制御回路１３から充電中か否かの信号を取得しこの判定を行う。充電中でない場合（ステップＳ２１；Ｎｏ）、本処理を中止する。充電中の場合（ステップＳ２１；Ｙｅｓ）、制御マイコン１５は、室温センサ２２が計測する温度の変化量を算出する（ステップＳ２２）。具体的には、制御マイコン１５は、室温モニタ回路１４から室温センサ２２が計測した温度を取得し、単位時間当たりの温度変化量を算出する。そして、制御マイコン１５は、その変化量を第２閾値と比較する（ステップＳ２３）。第２閾値には、充電池１２が異常発熱しているかどうかを判定するための値が設定される。第２閾値には、通常の室温の変化より大きな値が設定される。温度の変化量が第２閾値を上回る場合（ステップＳ２３；Ｙｅｓ）、制御マイコン１５は、充電池１２に異常発熱が発生していると判定する。制御マイコン１５は、充電制御回路１３へ異常発熱の発生を通知する（ステップＳ２５）。あるいは、制御マイコン１５は、充電制御回路１３へ充電の停止を指示してもよい。充電制御回路１３は、充電池１２の充電を停止する（ステップＳ２６）。
【００２４】
温度の変化量が閾値以下の場合（ステップＳ２３；Ｎｏ）、制御マイコン１５は、室温センサ２２が計測する温度を所定の第３閾値と比較する（ステップＳ２４）。第３閾値には、充電池１２が異常発熱しているかどうかを判定するための温度が設定される。室温センサ２２が計測する温度は、充電中であれば、充電池１２の発熱の影響を受ける。しかし、充電池１２が異常発熱している場合、室温センサ２２が計測する温度は、通常の室温以上に上昇する。第３閾値は、この上昇を判定するための閾値である。第３閾値は、充電開始前の室温センサ２２によって計測された値に基づいて設定されてもよい。例えば、充電開始前の室温センサ２２によって計測された温度が２８℃の場合、第３閾値にＸ℃（例えば５０〜６０℃の間の所定の温度）を設定してもよい。また、空調機が運転中であれば、その運転モードや設定温度によって、第３閾値を設定してもよい。例えば、設定温度が２８℃で冷房運転を行っている場合、第３閾値にＸ℃より低い温度を設定してもよい。
【００２５】
室温センサ２２が計測した温度が第３閾値以下の場合（ステップＳ２４；Ｎｏ）、本処理を中止する。
【００２６】
温度が第３閾値を上回る場合（ステップＳ２４；Ｙｅｓ）、制御マイコン１５は、充電池１２に異常発熱が発生していると判定する。制御マイコン１５は、充電制御回路１３へ異常発熱の発生を通知する（ステップＳ２５）。あるいは、制御マイコン１５は、充電制御回路１３へ充電の停止を指示してもよい。充電制御回路１３は、充電池１２の充電を停止する（ステップＳ２６）。
【００２７】
なお、第２閾値、第３閾値について、制御マイコン１５が、充電中に室温センサ２２によって計測された温度を記録して、過去に記録された温度上昇の変化量の最大値に所定のオフセット値を加えた値を第２閾値として設定したり、過去に記録された最高温度に所定のオフセット値を加算した値を第３閾値として設定したりしてもよい。
【００２８】
また、ステップＳ２３、ステップＳ２４の判定順は逆であってもよい。また、ステップＳ２３の判定について、温度の変化量が第２閾値を上回る回数が所定の回数以上となると、制御マイコン１５は、異常な発熱が発生したと判定してもよい。また、ステップＳ２４の判定について、室温が第３閾値を上回る時間が所定時間以上となると、制御マイコン１５は、異常な発熱が発生したと判定してもよい。また、制御マイコン１５は、室温センサ２２が計測した温度の変化量が第２閾値以上で、且つ室温センサ２２が計測した温度が第３閾値以上の場合に異常な発熱が発生したと判定してもよい。
【００２９】
本実施形態によれば、サーミスタ２１の故障などで、充電制御回路１３による保護制御が動作しない場合でも、室温センサ２２が計測する温度を監視して、制御マイコン１５が、充電池１２の異常発熱を検出することができる。また、制御マイコン１５が、充電制御回路１３へ充電の停止を実行させることにより事故を未然に防ぐことができる。
【００３０】
また、本実施形態によれば、サーミスタ２１が計測した温度に基づく充電中の充電池１２の温度監視と、室温センサ２２が計測した温度に基づく充電中の充電池１２の温度監視とが独立して動作する冗長構成となっているので、従来のサーミスタ２１が計測した温度に基づく温度監視のみの場合に比べ、より確実に充電池１２の異常な発熱を検出することができる。
【００３１】
なお、上記実施形態では、充電池１２の温度を室温センサ２２が計測した温度から推定することとしたが、反対に室温センサ２２が計測した温度に対し、充電中の充電池１２の温度の影響を補正してもよい。例えば、充電中に室温センサ２２が計測した温度からサーミスタ２１が計測した充電池１２の温度に応じた値を引いた温度を現在の室温として表示するようにしてもよい。
【００３２】
＜第二実施形態＞
以下、本発明の第二実施形態による無線リモコン１０について図４を参照して説明する。図４は、本発明の第二実施形態における空調機用無線リモコンの一例を示すブロック図である。
図４に例示する無線リモコン１０ａは、図１に例示する構成に比べ、サーミスタ２１を備えていない。その他の構成は第一実施形態と同様である。第二実施形態において、制御マイコン１５は、図３のフローチャートに示す処理によって充電中の充電池１２の温度を監視し、異常な発熱が生じた場合には充電を停止する。
【００３３】
第二実施形態によれば、第一実施形態に比べ冗長性は劣るが、サーミスタ２１やサーミスタ２１の計測値を処理する回路を省略することができるのでコストを削減することができる。また、サーミスタ２１の故障への対処を行う必要がなくなる。
【００３４】
また、サーミスタ２１を削減する代わりに室温センサ２２および室温モニタ回路１４をもう一組実装し、制御マイコン１５が、２つの室温センサが計測した室温に基づいて、充電中の充電池１２の温度監視を行うようにしてもよい。
【００３５】
図５は、本発明の各実施形態における無線リモコンのハードウェア構成の一例を示す図である。
コンピュータ９００は、ＣＰＵ９０１、主記憶装置９０２、補助記憶装置９０３、入出力インタフェース９０４、通信インタフェース９０５を備える。
上述の無線リモコン１０，１０ａの各々は、コンピュータ９００を備える。そして、上述した各機能は、プログラムの形式で補助記憶装置９０３に記憶されている。ＣＰＵ９０１は、プログラムを補助記憶装置９０３から読み出して主記憶装置９０２に展開し、当該プログラムに従って上記処理を実行する。また、ＣＰＵ９０１は、プログラムに従って、記憶領域を主記憶装置９０２に確保する。また、ＣＰＵ９０１は、プログラムに従って、処理中のデータを記憶する記憶領域を補助記憶装置９０３に確保する。
【００３６】
無線リモコン１０，１０ａの全部または一部の機能を実現するためのプログラムをコンピュータ読み取り可能な記録媒体に記録して、この記録媒体に記録されたプログラムをコンピュータシステムに読み込ませ、実行することにより各機能部による処理を行ってもよい。なお、ここでいう「コンピュータシステム」とは、ＯＳや周辺機器等のハードウェアを含むものとする。また、「コンピュータシステム」は、ＷＷＷシステムを利用している場合であれば、ホームページ提供環境（あるいは表示環境）も含むものとする。また、「コンピュータ読み取り可能な記録媒体」とは、ＣＤ、ＤＶＤ、ＵＳＢ等の可搬媒体、コンピュータシステムに内蔵されるハードディスク等の記憶装置のことをいう。また、このプログラムが通信回線によってコンピュータ９００に配信される場合、配信を受けたコンピュータ９００が当該プログラムを主記憶装置９０２に展開し、上記処理を実行しても良い。また、上記プログラムは、前述した機能の一部を実現するためのものであっても良く、さらに前述した機能をコンピュータシステムにすでに記録されているプログラムとの組み合わせで実現できるものであってもよい。
【００３７】
その他、本発明の趣旨を逸脱しない範囲で、上記した実施の形態における構成要素を周知の構成要素に置き換えることは適宜可能である。また、この発明の技術範囲は上記の実施形態に限られるものではなく、本発明の趣旨を逸脱しない範囲において種々の変更を加えることが可能である。
室温センサ２２は、第１温度センサの一例である。サーミスタ２１は、第２温度センサの一例である。室温センサ２２が計測した温度は第１温度の一例である。サーミスタ２１が計測した温度は第２温度の一例である。充電制御回路１３は充電制御部の一例である。制御マイコン１５は制御部の一例である。
【符号の説明】
【００３８】
１０、１０ａ・・・無線リモコン
１１・・・電源回路
１２・・・充電池
１３・・・充電制御回路
１４・・・室温モニタ回路
１５・・・制御マイコン
１６・・・ＬＣＤ表示制御回路
１７・・・無線通信回路
１８・・・計時回路
１９・・・不揮発性メモリ
２０・・・操作入力回路
２１・・・サーミスタ
２２・・・室温センサ
９００・・・コンピュータ
９０１・・・ＣＰＵ
９０２・・・主記憶装置
９０３・・・補助記憶装置
９０４・・・入出力インタフェース
９０５・・・通信インタフェース
【図１】
2020202529.tif 000003
【図２】
2020202529.tif 000004
【図３】
2020202529.tif 000005
【図４】
2020202529.tif 000006
【図５】
2020202529.tif 000007